(57)【要約】【課題】容器体に対して着脱自在な蓋体にブラシを組み込むことで、容器体からブラシを分離して操作することができ、かつ廉価に製造できる注出容器を提案する。【解決手段】口頸部４を起立する容器体２と、口頸部の内部に嵌合された栓筒１２の下端から内向きフランジ１６を介してノズル１８を起立し、ノズルと栓筒との間に収納溝２０を形成した栓体１０と、ノズル先端を閉塞する天板２６の外周部から蓋周壁２８を垂下してこの蓋周壁を上記口頸部の外面に嵌合させた蓋体２４と、を具備し、上記収納溝２０内に挿入する環状ブラシ３２を上記天板裏面に付設し、この環状ブラシの下端が上記蓋周壁の下端より下方に位置するように形成した。【選択図】図１
2012030804.tif 000002
【特許請求の範囲】
【請求項１】
口頸部４を起立する容器体２と、
上記口頸部の内部に嵌合された栓筒１２の下端から内向きフランジ１６を介してノズル１８を起立し、ノズルと栓筒との間に収納溝２０を形成した栓体１０と、
ノズル先端を閉塞する天板２６の外周部から蓋周壁２８を垂下してこの蓋周壁を上記口頸部の外面に嵌合させた蓋体２４と、を具備し、
上記収納溝２０内に挿入するブラシ部３２を上記天板裏面に付設し、このブラシ部の下端が上記蓋周壁の下端より下方に位置するように形成したことを特徴とする、
ブラシ付き注出容器。
【請求項２】
上記天板２６の巾方向中間部を陥没させ、この陥没部３０の下面に上記ブラシ部３２を付設したことを特徴とする、請求項１記載のブラシ付き注出容器。
【請求項３】
注出容器の口頸部へ嵌合するための蓋体であって、
天板２６とこの天板の外周縁から垂下させた蓋周壁２８とを具備し、
上記天板２６の巾方向中間部を上記蓋周壁の下端の下方へ環状に陥没させて、蓋周壁２８との間に一定の間隔を存して陥没部３０を形成し、
この陥没部３０の下面にブラシ部を付設したことを特徴とする、ブラシ付き蓋体。
【発明の詳細な説明】
【技術分野】
【０００１】
本発明は、ブラシ付き注出容器及び蓋体に関する。
【背景技術】
【０００２】
従来容器体の上端部に開口する注出口の周囲にブラシを植設した容器（特許文献１）が知られている。
【先行技術文献】
【特許文献】
【０００３】
【特許文献１】特開２００８−２９６９６５
【特許文献２】特開２０１０−２３８４７
【発明の概要】
【発明が解決しようとする課題】
【０００４】
特許文献１の注出容器では、注出液体をブラシで目的面に塗布するときに有利であるが、用途によっては、容器体から液体を目的面に注出した後でこの面をブラシで擦ることが必要となることがある。この場合に、容器体にブラシが一体的に取り付けられていると使い勝手がよくない。
【０００５】
これに対して、注出容器の一部にブラシ付き部材を着脱自在に組み付けることも行われているが（特許文献２）、これでは容器のパーツ数が多くなり、製造コストが増大する。
【０００６】
本発明の第1の目的は、容器体に対して着脱自在な蓋体にブラシを組み込むことで、容器体からブラシを分離して操作することができ、かつ廉価に製造できる注出容器を提案することである。
【０００７】
本発明の第２の目的は、ブラシ操作の際に扱い易いブラシ付きの蓋体を具備した注出容器を提案することである。
【課題を解決するための手段】
【０００８】
第１の手段は、口頸部４を起立する容器体２と、
上記口頸部の内部に嵌合された栓筒１２の下端から内向きフランジ１６を介してノズル１８を起立し、ノズルと栓筒との間に収納溝２０を形成した栓体１０と、
ノズル先端を閉塞する天板２６の外周部から蓋周壁２８を垂下してこの蓋周壁を上記口頸部の外面に嵌合させた蓋体２４と、を具備し、
上記収納溝２０内に挿入するブラシ部３２を上記天板裏面に付設し、このブラシ部の下端が上記蓋周壁の下端より下方に位置するように形成している。
【０００９】
本手段は、図１に示すように栓体の栓筒１２とノズル筒１８との間に収納溝２０を形成し、この収納溝に蓋体に付設されたブラシ部３２を収納した構成を提案する。これにより、蓋体をブラシの把持部として利用することができ、部材数を増やすことなく、ブラシ操作に供することができる。例えば洗浄液などを目的面に注出し、ブラシを使ってこする場合に有利である。上記ブラシ部は、リング状（円環状あるいは角環状を含む）に形成することが好適である。
【００１０】
第２の手段は、第１の手段を有し、かつ上記天板２６の巾方向中間部を陥没させ、この陥没部３０の下面に上記ブラシ部３２を付設している。
【００１１】
本手段では、天板の幅方向中間部を陥没させ、その下面にブラシ部を付設することを提案している。この構成の利点は、まず簡易な構造であり、容易に成型できることである。また、陥没部を設けることで蓋周壁の上下巾を十分に確保することができる。
【００１２】
第３の手段は、注出容器の口頸部へ嵌合するための蓋体であって、
天板２６とこの天板の外周縁から垂下させた蓋周壁２８とを具備し、
上記天板２６の巾方向中間部を上記蓋周壁の下端の下方へ環状に陥没させて、蓋周壁２８との間に一定の間隔を存して陥没部３０を形成し、
この陥没部３０の下面にブラシ部を付設している。
【００１３】
本手段は、先の手段のブラシ付き注出容器に用いるために適した蓋体を提案している。この蓋体は、容器体の口頸部への装着筒とブラシ操作時の把持部を兼ねる蓋周壁２８を有する。好適な図示例では、蓋周壁の外面下部に外向きフランジ状の指掛け部３６を付設している。
【発明の効果】
【００１４】
第１の手段に係る発明によれば、蓋体にブラシ部を組み込んだから、容器体から外した蓋体を持ってブラッシングを行うことができるとともに、上記ブラシ部を栓体の栓筒１２とノズル１８との間の収納溝２０に挿入したから、コンパクトに収納することができ、かつパーツ数が増加しない。
【００１５】
第２の手段に係る発明によれば、天板の外周部を下方へ陥没させ、この陥没部にブラシ部３２を付設したから、蓋体の構造が簡単であり、容易に成型することができる。
【００１６】
第３の手段に係る発明によれば、注出蓋体の天板２６の巾方向中間部を陥没させ、この陥没部にブラシ部３２を付設したから、コンパクトに容器体の口頸部に組み込むことができる。
【図面の簡単な説明】
【００１７】
【図１】本発明の第１実施形態に係る注出容器の断面図である。
【図２】図１の容器の蓋体の斜視図である。
【図３】図１の容器の使用状態の説明図である。
【発明を実施するための最良の形態】
【００１８】
図１から図３は、本発明の第１の実施形態にブラシ付き注出容器を示している。この容器は、容器体２と、栓体１０と、蓋体２４とで構成されている。これらの部材はとくに断らない限り合成樹脂で形成することができる。
【００１９】
容器体２は、胴部から肩部を介して口頸部４を起立している。この口頸部の上下方向中間部には外リブ６を付設している。
【００２０】
上記口頸部４の上部外面には螺条を形成する。また口頸部の上端部は小外径部８に形成している。
【００２１】
栓体１０は、上記口頸部４内面に嵌合された栓筒１２を有し、この栓筒の上端から下外方へ折り返す折返し部１４を上記小外径部８に液密に嵌合している。また栓筒１２の下端から内向きフランジ１６を介して、栓筒の上端と同程度の高さへノズル１８を起立している。このノズル１８と栓筒１２との間の空間を収納溝２０としている。
【００２２】
蓋体２４は、天板２６と天板の外周部から垂下する蓋周壁２８とを有し、この蓋周壁を上記口頸部４の上部外面に螺合させている。そして上記天板２６の半径方向中間部を蓋周壁の下端よりも下方へ陥没させ、この陥没部３０を収納溝２０内へ垂下させている。
【００２３】
上記陥没部３０の下端面は平坦面であり、この下端面にはリング状のブラシ部３２を付設している。このブラシ部は、陥没部と一体に成形してもよく、また別体として形成するとともに陥没部に取り付けてもよい。ブラシ部３２は、蓋周壁２８の下端部よりも下方に設けている。
【００２４】
陥没部３０を設けることで、蓋周壁２８の上下巾を把持部として必要な所要の長さとしながら、ブラシ部３２を蓋周壁の下方へ位置させることができる。仮に陥没部を設けないで天板から蓋周壁の下方までブラシ部３２を垂下させるとすれば、ブラシの毛を相当に長くしなければならない。しかしながら、ブラシの用途によっては、ブラシの毛が短い方が好ましい場合もあるからである。
【００２５】
図示例では、天板２６の中央部裏面からシール筒３４を垂下して、ノズル１８の先端部内面に密嵌できるようにしている。
【００２６】
また図示の蓋周壁２８の外面下端部からは、外向きフランジ状の指掛け部３６を突出している。図示の指掛け部は先端部がゆるやかに下向きに弯曲している。こうすることにより、蓋体を口頸部から螺脱させるときには指掛け部３６上方の蓋周壁部分を掴んで回転させることができ、またブラシ作業を行うときには、指掛け部３６に指をかけて蓋体を把持すればよい。
【００２７】
上記構成において、口頸部４から蓋体２４を外し、容器体をさかさまにしてノズル１８から液体を目的面に注出する。そして蓋周壁２８を把持して、ブラシ部３２で目的面をこすればよい。
【符号の説明】
【００２８】
２…容器体  ４…口頸部  ６…外リブ  ８…小外径部
１０…栓体  １２…栓筒  １４…折返し部  １６…内向きフランジ  
１８…ノズル  ２０…収納溝  ２４…蓋体  ２６…天板  ２８…蓋周壁
３０…陥没部  ３２…ブラシ部  ３４…シール筒  ３６…指掛け部
【図１】
2012030804.tif 000003
【図２】
2012030804.tif 000004
【図３】
2012030804.tif 000005